(57)【要約】【課題】コンテナ本体の内面を通気性を有する軟質の保護体で覆うことにより、収納する農産物の損傷を防止して商品価値を維持し、また保護体は取着体でコンテナ本体に係着するので取着及び交換の取り扱いが容易であるメッシュコンテナを提供する。【解決手段】コンテナ本体１は鋼材を組んだ架台２と、底面、前面、後面、側面の５面を形成するパネル４乃至７とから構成してある。各パネル４乃至７は棒鋼をメッシュ状に組んで形成することで、通気性を確保し軽量化を図ってある。底面、前面、後面及び左右の側面の各パネル４乃至７は内面の全面を亀甲状に形成して通気性を有する軟質の保護体８で覆ってある。保護体８は各パネル４乃至７の棒鋼に弾性を有するクリップで係着してあり、収納する農産物が棒鋼に直接当たらないようにしてある。【選択図】図１
2016222297.tif 000002
【特許請求の範囲】
【請求項１】
四角形の架台に底面パネルを設け、該底面パネルの四辺に前面パネル、後面パネル及び左右の側面パネルを起立させ、該各パネルは棒鋼を縦横に組んでメッシュ状に形成してなるコンテナ本体と、前記各パネルの内面を覆う通気性を備えた軟質の保護体と、該保護体を該各パネルの棒鋼に係着保持させる取着体とから構成してなるメッシュコンテナ。
【請求項２】
前記コンテナ本体は、各パネルを折畳み可能に構成してあることを特徴とする請求項１記載のメッシュコンテナ。
【請求項３】
前記コンテナ本体は、前記前面パネル及び後面パネルの略上半分を外側に折り返し可能に構成してあることを特徴とする請求項１記載のメッシュコンテナ。
【請求項４】
前記保護体は、軟質の合成樹脂材により成形してあることを特徴とする請求項１記載のメッシュコンテナ。
【請求項５】
前記保護体は、最大厚さを２，５ｍｍ以内にしてあることを特徴とする請求項４記載のメッシュコンテナ。
【請求項６】
前記合成樹脂材は、ポリエチレンとポリプロピレンの重合体であることを特徴とする請求項４記載のメッシュコンテナ。
【請求項７】
前記取着体は、横長の基部と、該基部の中央に外方に突出形成した保護体収め部と、前記基部の両端から屈曲して対向する一対の挟持部と、該挟持部の先端側に略く字状に形成され、先端が外側に拡開した一対の嵌入部とを一体に構成したものであることを特徴とする請求項１記載のメッシュコンテナ。
【請求項８】
前記取着体は、弾性を有する素材で形成することにより前記各パネルの棒鋼に対して係脱可能であることを特徴とする請求項１記載のメッシュコンテナ。
【発明の詳細な説明】
【技術分野】
【０００１】
本発明は、例えば野菜、豆類等の農産物を収納して保管し、或いは搬送するために使用するメッシュコンテナに関する。
【背景技術】
【０００２】
農産物を保管や貯蔵のために、或いは搬送するためにコンテナを使用しているが、鮮度を保持するために、また搬送時の全体重量を軽減して車輌への搭載個数を増すために、棒鋼を組んでメッシュ状に構成することにより通気性の確保と、軽量化を図ったメッシュコンテナを用いるようになっている（特許文献１）。
【先行技術文献】
【特許文献】
【０００３】
【特許文献１】特開２０１３−２８３７５号公報
【発明の概要】
【発明が解決しようとする課題】
【０００４】
従来技術のメッシュコンテナは、底面、前、後面及び左右側面のパネルは棒鋼を縦横に組んでメッシュ状に構成してあるので、収納した農産物が直接棒鋼に接した状態になっている。このため、農産物はコンテナへの投入時の衝撃や、コンテナの積み重ね時或いは搬送時の振動によって損傷を受ける事態も起り、商品としての価値を失う、傷んだ農産物によってコンテナ内の他の農産物を汚す、使用後のコンテナの洗浄に費用と手間が掛るといった未解決の問題点がある。
【０００５】
本発明は上述した従来技術の未解決の問題点に鑑みなされたもので、コンテナ本体の内面を通気性を有する軟質の保護体で覆うことにより、収納する農産物の損傷を防止して商品価値を維持し、また保護体は取着体でコンテナ本体に係着するので取着及び交換の取り扱いが容易であるメッシュコンテナを提供することを目的とする。
【課題を解決するための手段】
【０００６】
上述した課題を解決するために構成した本発明の手段は、四角形の架台に底面パネルを設け、該底面パネルの四辺に前面パネル、後面パネル及び左右の側面パネルを起立させ、該各パネルは棒鋼を縦横に組んでメッシュ状に形成してなるコンテナ本体と、前記各パネルの内面を覆う通気性を備えた軟質の保護体と、該保護体を該各パネルの棒鋼に係着保持させる取着体とからなる。
【０００７】
そして、前記コンテナ本体は、各パネルを折畳み可能に構成するとよい。
【０００８】
また、前記コンテナ本体は、前記前面パネル及び後面パネルの略上半分を外側に折り返し可能に構成するとよい。
【０００９】
更に、前記保護体は、軟質の合成樹脂材により成形するとよい。
【００１０】
また、前記保護体は、最大厚さを２，５ｍｍ以内にするとよい。
【００１１】
そして、前記合成樹脂材は、ポリエチレンとポリプロピレンの重合体であるとよい。
【００１２】
また、前記取着体は、横長の基部と、該基部の中央に外方に突出形成した保護体収め部と、前記基部の両端から屈曲して対向する一対の挟持部と、該挟持部の先端側に略く字状に形成され、先端が外側に拡開した一対の嵌入部とを一体に構成したものであるとよい。
【００１３】
また、前記取着体は、弾性を有する素材で形成することにより前記各パネルの棒鋼に対して係脱可能にするとよい。
【発明の効果】
【００１４】
本発明は上記の如く構成したから、下記の諸効果を奏する。
（１）棒鋼をメッシュ状に組んで構成した５面のパネルの内面は通気性を備えた軟質の保護体で覆ったから、鮮度を損なうことなく農産物を収納して保管し、また農産物が搬送時の振動等によって損傷を受けて商品価値を損なう事態を確実に防止することができる。
（２）保護体は取着体によって各パネルの棒鋼に係着するから、取着や交換の作業を容易に短時間で行うことが出来る。
（３）保護体は軟質素材であるから、折畳むことや折り返すことが可能なコンテナ本体に用いることが出来る。
（４）保護体は最大厚さを２，５ｍｍ以内にしたから、コンテナ本体の収納容量を損なうこと無く収納する農産物の損傷を防止できる。
（５）保護体はポリエチレンとポリプロピレンの重合体により成形して軟質性と弾性を持たせたから、接触する農産物に優しく、またコンテナ本体の折畳み機能、折り返し機能を損なうことが無い。
（６）取着体は、保護体収め部を有し、対向する一対の挟持部によって棒鋼に係着すると共に、先端側は一対の嵌入部を一体に構成してあるから、保護体を棒鋼に容易に係着することができるし、保護体を棒鋼に確実に取着することが出来る。
（７）取着体は、各パネルの棒鋼に対して係脱可能であるから、保護体をコンテナ本体に取着し、交換することが可能であるし、これらの作業を容易に短時間で行うことが出来る。
【図面の簡単な説明】
【００１５】
【図１】図１乃至図７は本発明の第１の実施の形態に係り、図１はメッシュコンテナの構成説明図である。
【図２】メッシュコンテナの部分拡大図である。
【図３】図２中のＩＩＩ−ＩＩＩ矢示方向断面図である。
【図４】クリップの斜視図である。
【図５】クリップの平面図である。
【図６】前面パネルを保護体で覆った状態の内側からの部分拡大図である。
【図７】前面パネルを保護体で覆った状態の外側からの部分拡大図である。
【図８】第２の実施の形態に係るクリップの斜視図である。
【図９】第３の実施の形態に係るクリップの斜視図である。
【図１０】第４の実施の形態に係るクリップの斜視図である。
【発明を実施するための形態】
【００１６】
以下、本発明の実施の形態を図面に基づき詳述する。図１乃至図７は第１の実施の形態に係り、図において１はコンテナ本体を示す。該コンテナ本体１は、鋼材からなり、フォークリフトのフォークが挿脱可能に構成した若干長方形の架台２と、該架台２の長手方向両端に幅方向に離間して下向きに突設した前後一対の積載用係合脚３、３と、架台２の上面に配置した底面パネル４と、該底面パネル４の前縁及び後縁から起立し、内側に転倒可能な前面パネル５及び後面パネル６と、底面パネル４の左右側縁から起立し、内側に転倒可能な側面パネル７、７とによって折り畳み可能に構成してある。
なお、前面パネル５、後面パネル６及び側面パネル７が内側に折り畳み可能な構成、前面パネル５及び後面パネル６の上半分が外側に折り返し可能な構成については、実用新案登録第３１６５５４１号公報、特開２００４−１３１１０５号公報等によって公知技術であるから詳細な説明は省略する。
【００１７】
そして、前記各パネル４〜７は棒鋼４Ａ〜７Ａを縦横に組むことにより縦長四角形の目のメッシュ状に構成してあり、強度性と通気性を持たせながらコンテナ本体の軽量化を図っている。
【００１８】
８は収容する農産物を保護するために各パネル４乃至７の内面の全面を覆うように設けた保護体を示す。該保護体８はポリエチレンとポリプロピレンの重合体により、各々の厚さが１,５ｍｍの蛇行状の内側保護材と外側保護材を一体に形成することにより厚さが約２、５ｍｍで亀甲模様のメッシュ状に成形してあり、内側面を農産物に対する保護面８Ａに、外側面を棒鋼４Ａ乃至７Ａとの当接面８Ｂにしてある（図２参照）。このように、保護体８は軟質で通気性を有しており、また農産物は保護体８に接触しても棒鋼４Ａ〜７Ａには接触しない構成にしてあるから農産物を損傷することなく収納することができる。
【００１９】
なお、保護体８は亀甲模様のメッシュ状に限られるものではなく、格子状でも菱形状でもよい。また、上半分が外側に折り返す前面パネル５及び後面パネル６については、保護体８のうち折り返す部位に位置する部分に若干の折り代を持たせることでパネルの折り返しを円滑に行えるようにしてある。
【００２０】
９は前記保護体８を各パネル４乃至７の内面に係止するための金属製又は合成樹脂製の取着体としてのクリップを示す。該クリップ９は横長の基部９Ａと、該基部９Ａの中央に外方に湾曲状に突出形成した保護体収め部９Ｂと、基部９Ａの両端から屈曲して対向した一対の挟持部９Ｃ、９Ｃと、該挟持部９Ｃの先端側に平面視で略く字状に形成し、先端９Ｄ１が外側に拡開した一対の嵌入部９Ｄとから構成してある。なお、図ではクリップ９の上縁と下縁を９０度の直角形状に表しているが、湾曲状に形成して農産物が受ける損傷を可及的に少なくなるようにするとよい。
【００２１】
そして、クリップ９は全体が素材による弾性を有しているので、各パネル４乃至７の棒鋼４Ａ〜７Ａに対して嵌脱可能であり、保護体８は洗浄のためや損傷した場合にコンテナ本体１から取り外し、また新規に交換することができるようにしてある。
【００２２】
本実施の形態は上述の如くコンテナ本体１の各パネル４乃至７の内面を保護体８で覆い、保護体８は軟質材で通気性を有するように成形してあるから、収納する農産物が収納時の衝撃や、搬送時の振動によって損傷を受けることがないので商品の品質を損なうのを防止することができる。
【００２３】
また、保護体８はクリップ９で簡単に各パネル４乃至７に取着できるから、既存のメッシュコンテナにも用いることができる。
【００２４】
なお、クリップは実施の形態の形状に限られるものではない。図８は第２の実施の形態のクリップを示す。該クリップ１１は保護体収め部１１Ａから一対の挟持部１１Ｂ、１１Ｂを連続させ、挟持部１１Ｂの先端側を嵌入部１１Ｃとした形状にしてある。また、図９は第３の実施の形態のクリップ１２を示す。該クリップ１２は、略Ｃ字状の嵌合部１２Ａの先端側を伸張させて締付け部１２Ｂ、１２Ｂに結束バンドを通す穴１２Ｃを形成し、結束バンドで保護体８を棒鋼４Ａ乃至７Ａに固定するようにしてある。更に、図１０は第４の実施の形態のクリップを示す。該クリップ１３は略Ｕ字状に形成した嵌合部１３Ａと、該嵌合部１３Aの両先端側に形成した嵌入部１３Ｂ、１３Ｂとからなり、嵌合部１３Ａの左右の湾曲状のスペースに棒鋼４Ａ乃至７Ａと保護体８を一体に収めるようになっている。
【００２５】
また、本発明における軟質の保護体として、植物繊維束で網状に編成したものを用いることもできる。
【００２６】
また、取着体として結束バンドを用いることもできる。
【符号の説明】
【００２７】
１      コンテナ本体
２      架台
４      底面パネル
４Ａ    棒鋼
５      前面パネル
５Ａ    棒鋼
６      後面パネル
６Ａ    棒鋼
７      側面パネル
７Ａ    棒鋼
８      保護体
９      クリップ（取着体）
９Ａ    基部
９Ｂ    保護体収め部
９Ｃ    挟持部
９Ｄ    嵌入部
【図１】
2016222297.tif 000003
【図２】
2016222297.tif 000004
【図３】
2016222297.tif 000005
【図４】
2016222297.tif 000006
【図５】
2016222297.tif 000007
【図６】
2016222297.tif 000008
【図７】
2016222297.tif 000009
【図８】
2016222297.tif 000010
【図９】
2016222297.tif 000011
【図１０】
2016222297.tif 000012